(57)【要約】【課題】  首から吊下げた携帯電子機器などの被保持物を操作する際に、首に掛け回したストラップの長さをその都度調整する煩わしさを回避する吊下げ保持具を提供することにある。【解決手段】  独立して駆動する少なくとも第１及び第２ドラム１３，１４と、第１ドラム１３に巻き取られる第１のストラップ１５及び第２ドラム１４に巻き取られる第２のストラップ１６と、第１及び第２のストラップ１５，１６をそれぞれ巻き取る方向にドラムを付勢するそれぞれの駆動バネとを備えている。【選択図】  図２
2013059619.tif 000002
【特許請求の範囲】
【請求項１】
独立して駆動する少なくとも２つのドラムと、
一方のドラムに巻き取られる第１のストラップ及び他方のドラムに巻き取られる第２のストラップと、
第１及び第２のストラップをそれぞれ巻き取る方向にドラムを付勢するそれぞれの駆動バネと、
を備えていることを特徴とする吊下げ保持具。
【請求項２】
前記第１のストラップが巻き取られるドラムと第２のストラップが巻き取られるドラムが一つのケース内で上下に重ねられた状態で配置され、又は一つのケース内で横に並べられた状態で配置されている請求項１に記載の吊下げ保持具。
【請求項３】
前記一つのケースは、その上端中央に凹み部を有すると共に、この凹み部の両側には第１のストラップが引き出される一対の開口部が設けられ、第１のストラップがドラムに巻き取られた状態では一対の開口部の間に掛け渡された第１のストラップと凹み部との間に隙間が形成される請求項２に記載の吊下げ保持具。
【請求項４】
前記第１のストラップが巻き取られるドラムと第２のストラップが巻き取られるドラムは、それぞれが独立したケース内に配置され、独立したケース同士の間は前記第１のストラップによって連結されると共に、第１のストラップが伸縮することによって独立したケース同士が近づき又は遠ざかる請求項１に記載の吊下げ保持具。
【請求項５】
前記独立したケース同士が近づいた時に、第１のストラップがドラムに巻き取られることで独立したケース同士が接触する請求項４に記載の吊下げ保持具。
【請求項６】
前記独立したケース同士の間には、両者が接触した時に両者を一体にする連結手段が設けられている請求項５に記載の吊下げ保持具。
【請求項７】
前記第１のストラップが巻き取られるドラムには、弾性的に復帰し且つ押圧可能な押ボタンを有する回転ロック機構が設けられ、この回転ロック機構は常時はドラムの回転をロックし、押ボタンの押圧動作によってドラムの回転のロックを解除する請求項１に記載の吊下げ保持具。
【請求項８】
前記回転ロック機構は、前記押ボタンに設けられる係合部と、ドラムに設けられる被係合部とを備え、
常時は押ボタンの係合部がドラムの被係合部と係合してドラムの回転をロックする一方、押ボタンの押圧動作によって係合部が被係合部から外れてドラムの回転のロックを解除する請求項７に記載の吊下げ保持具。
【請求項９】
前記第２のストラップが巻き取られるドラムには、ドラムと一体の回転ロック機構が設けられ、この回転ロック機構は常時はドラムの回転をロックし、第２のストラップの引き出し動作時、又は第２のストラップの巻き取り動作時にはドラムの回転のロックを解除する請求項１に記載の吊下げ保持具。
【請求項１０】
前記第２のストラップの先端には被保持物を保持するための係合手段が設けられている請求項１，２，４のいずれかに記載の吊下げ保持具。
【請求項１１】
前記ケースの上端部には第１のストラップを引き出すための開口部が設けられ、ケースの下端部には第２のストラップを引き出すための開口部が設けられている請求項２又は４に記載の吊下げ保持具。
【請求項１２】
前記一つのケースが周面を有する円盤状に形成され、その周面の対向する位置には一方に第１のストラップを引き出すための開口部が設けられ、他方に第２のストラップを引き出すための開口部が設けられている請求項２に記載の吊下げ保持具。
【請求項１３】
さらにクリップ体を有し、前記ケースの周面に形成された周方向の溝条部に取り付けられる請求項１２に記載の吊下げ保持具。
【請求項１４】
前記クリップ体は弾性を備え、前記溝条部に弾性的に嵌まり込む腕部と、この腕部から延びて前記ケースの一面に弾性的に当接する挟持部とを有し、前記腕部が溝条部内を周方向に回転可能である請求項１３に記載の吊下げ保持具。
【請求項１５】
前記クリップ体が線材によって形成され、前記溝条部に弾性的に嵌まり込む腕部が溝条部の形状に略対応した円弧状に形成され、腕部から延びて前記ケースの一面に弾性的に当接する挟持部が腕部の略中央部でＵ状に形成されている請求項１４に記載の吊下げ保持具。
【請求項１６】
前記第１のストラップを引き出すための開口部は、近接して設けられた２つの孔部からなる請求項１２に記載の吊下げ保持具。
【発明の詳細な説明】
【技術分野】
【０００１】
本発明は、携帯電話やスマートフォンなどの携帯電子機器やカードホルダ等を首から下げた状態で保持するための吊下げ保持具に関するものである。
【背景技術】
【０００２】
従来、この種の吊下げ保持具としては、例えば特許文献１に記載の携帯保持具が知られている。この携帯保持具１は、図２９に示したように、ケース本体２と、このケース本体２内に収納されるストラップ３と、このストラップ３を巻き取るためにケース本体２に対して回転自在に設けられるドラム（図示せず）と、携帯電子機器７を吊り下げるためにケース本体２の下端に設けられた連結部材４とを備えている。ケース本体２の上部にはストラップ３を引き出すための一対の開口部５が設けられ、またケース本体２の中央部にはストラップ３を所定の長さに引き出して固定するためのロックボタン６が設けられている。なお、ケース本体２内にはドラムをストラップ３の巻き取り方向に付勢する駆動バネ（図示せず）が設けられている。また、ドラムとロックボタン６との間にはドラムの回転を規制したり、解除するためのロック機構（図示せず）が設けられている。
【０００３】
このような携帯保持具１にあっては、まずケース本体２に収納されたストラップ３を所定の長さに引き出すため、ケース本体２のロックボタン６を押してロック機構を解除し、ストラップ３を開口部５から所定の長さまで引き出しロックボタン６を離してロックする。ストラップ３はケース本体２の一対の開口部５からリング状に引き出されるので、これを首に掛けてケース本体２を胸元に吊るす。次いで、ケース本体２の位置を調整するために、再びロックボタン６を押してドラムのロック機構を解除し、ストラップ３をドラムに巻き取って短くし、ケース本体２を少し引き上げる。さらに、ケース本体２の下端の連結部材４に携帯電子機器７を取り付けて首から吊るした状態で保持する。なお、ストラップ３の長さを調整することで携帯電子機器７を胸のポケットに入れて保持することもできる。
【０００４】
しかしながら、上記従来の携帯保持具１にあっては、携帯電子機器７を操作しようとする場合は、その都度ロックボタン６を押してロック機構を解除し、ロックボタン６を押し続けた状態で首に掛けたストラップ３の長さを調整して、ケース本体２自体を引き下げなければならず、非常に煩わしいものであった。また、携帯電子機器７は連結部材４によってケース本体２に装着されているために、携帯電子機器７を操作する場合にはケース本体２が携帯電子機器７と一緒になって動くことから、ケース本体２が邪魔をして携帯電子機器７の操作性に影響を及ぼすおそれがあった。
【先行技術文献】
【特許文献】
【０００５】
【特許文献１】特開２００９−６６２７６号公報
【発明の概要】
【発明が解決しようとする課題】
【０００６】
そこで、本発明が解決しようとする課題は、首から吊下げた携帯電子機器などの被保持物を操作する際に、首に掛け回したストラップの長さを調整してケース本体自体を下方位置まで移動させるなどの煩わしさを回避すると共に、被保持物の操作性に影響を与えないような吊下げ保持具を提供することにある。
【課題を解決するための手段】
【０００７】
上記の課題を解決するために、本発明に係る吊下げ保持具は、独立して駆動する少なくとも２つのドラムと、一方のドラムに巻き取られる第１のストラップ及び他方のドラムに巻き取られる第２のストラップと、第１及び第２のストラップをそれぞれ巻き取る方向にドラムを付勢するそれぞれの駆動バネとを備えている。
【０００８】
また、本発明に係る吊下げ保持具の一実施例では、前記第１のストラップが巻き取られるドラムと第２のストラップが巻き取られるドラムが一つのケース内で上下に重ねられた状態で配置され、又は一つのケース内で左右に並べられた状態で配置されている。
【０００９】
また、本発明に係る吊下げ保持具の他の実施例では、前記第１のストラップが巻き取られるドラムと第２のストラップが巻き取られるドラムは、それぞれが独立したケース内に配置され、独立したケース同士の間は前記第１のストラップによって連結されると共に、第１のストラップが伸縮することによって独立したケース同士が近づき又は遠ざかる。
【発明の効果】
【００１０】
本発明に係る吊下げ保持具は、首に掛け回した第１のストラップと携帯電子機器などの被保持物に連結される第２のストラップとがそれぞれ独立して駆動する少なくとも２つのドラムによって巻き取られる構成となっているので、被保持物を操作する際には吊下げ保持具を動かすことなく、被保持物に連結された第２のストラップの長さを調整するだけで被保持物を操作し易い位置に移動させることができる。また、被保持物を操作位置から保持位置に戻す際にも吊下げ保持具を動かすことなく、被保持物に連結されている第２のストラップをドラムに巻き取るだけで、所定の保持位置まで引き上げることができる。
【図面の簡単な説明】
【００１１】
【図１】本発明の第１実施例に係る吊下げ保持具に携帯電子機器を連結した状態を示す斜視図である。
【図２】各ケース内に配置されたドラムを示す平面図である。
【図３】図２におけるＡ−Ａ線断面図である。
【図４】図２と同様の平面図である。
【図５】図４におけるＢ−Ｂ線断面図である。
【図６】図１に示した吊下げ保持具を首に吊るす時の手順を示す説明図である。
【図７】携帯電子機器を操作する時の吊下げ保持具の状態を示す斜視図である。
【図８】携帯電子機器を使用する時の吊下げ保持具の状態を示す斜視図である。
【図９】本発明の第２実施例に係る吊下げ保持具を示す斜視図である。
【図１０】吊下げ保持具の収納状態を示す平面図である。
【図１１】吊下げ保持具の他の収納状態を示す側面図である。
【図１２】本発明の第３実施例に係る吊下げ保持具を示す斜視図である。
【図１３】図１２におけるＣ−Ｃ線断面図である。
【図１４】本発明の第４実施例に係る吊下げ保持具を示す斜視図である。
【図１５】第１のストラップを巻き取った状態を示す平面図である。
【図１６】本発明の第５実施例に係る吊下げ保持具を示す斜視図である。
【図１７】図１６におけるＤ−Ｄ線断面図である。
【図１８】本発明の第６実施例に係る吊下げ保持具を示す斜視図である。
【図１９】本発明の第７実施例に係る吊下げ保持具を示す斜視図である。
【図２０】図１９の吊下げ保持具に備わる第５ケースとこの第５ケースに取り付けられるクリップ体の斜視図である。
【図２１】上記クリップ体を取り付けた第５ケースの側面図である。
【図２２】上記第５ケースの部分断面図である。
【図２３】上記クリップ体の回転状態を示す作用図である。
【図２４】図１９における係合手段の断面図である。
【図２５】上記係合手段のオス側部材の開閉動作を示す斜視図である。
【図２６】上記オス側部材を閉じたときの斜視図である。
【図２７】上記第５ケースの第１の装着状態を示す説明図である。
【図２８】上記第５ケースの第２の装着状態を示す説明図である。
【図２９】従来の携帯保持具の一例を示す斜視図である。
【発明を実施するための形態】
【００１２】
以下添付図面に基づいて、本発明に係る吊下げ保持具の実施形態を詳細に説明する。図１乃至図５には、本発明に係る吊下げ保持具の第１実施例が示される。この吊下げ保持具１０は、２つに分離された第１ケース１１および第２ケース１２と、各ケース１１，１２内に回転自在に配置された第１ドラム１３および第２ドラム１４と、これらドラム１３，１４にそれぞれ巻き取られる２本のストラップ１５，１６とを備える。第１ドラム１３に巻き取られる第１のストラップ１５は首に掛けるためのもので幅の狭い帯状のリボンで形成されており、第２ドラム１４に巻き取られる第２のストラップ１６は携帯電話やスマートフォンなどの携帯電子機器１７に連結するためのもので細くて長い強い糸で形成されている。
【００１３】
第１ケース１１は円盤形状をしており、その左右両側には第１のストラップ１５を引き出すための一対の開口部１８ａ，１８ｂがスリット状に設けられる。一方の開口部１８ａから引き出されるストラップ部１５ａの先端には係合手段１９のメス側部材１９ａが取り付けられ、他方の開口部１８ｂから引き出されたストラップ部１５ｂの先端は第２ケース１２の一方の肩部１２ａにストッパ２０によって固定されている。なお、第２ケース１２の他方の肩部１２ｂには第１のストラップ１５と同じリボンからなる固定ストラップ１５ｃの基端部がストッパ２０によって固定されている。この固定ストラップ１５ｃの長さは短く調整されており、その先端には前記係合手段１９のオス側部材１９ｂが取り付けられている。このオス側部材１９ｂはメス側部材１９ａに嵌合する一対の弾性係合片１９ｃを有している。
【００１４】
一方、前記第２ケース１２は平面略Ｕ字状の扁平形状をしており、その上端中央に凹み部１２ｃを有している。この凹み部１２ｃは前記第１ケース１１の外周と略同じ曲率で形成されており、第１ケース１１の外周の一部が第２ケース１２の凹み部１２ｃに収まるようになっている。また、第２ケース１２の下端には第２のストラップ１６を引き出すために小さな円形の開口部２１が設けられている。上述したように、第２のストラップ１６は携帯電話やスマートフォンなどの携帯電子機器１７に連結するためのもので、先端には前記と同様、係合手段２２のメス側部材２２ａが取り付けられている。また、携帯電子機器１７の方にオス側部材２２ｂを取り付けておくことで、携帯電子機器１７を脱着可能に連結することができる。なお、上記係合手段１９，２２のメス側部材とオス側部材は上記の実施例とは逆に取り付けられていてもよい。
【００１５】
前記第１ケース１１内に回転自在に配置された第１ドラム１３は、第１ケース１１と一体成形の支軸２３に回転自在に支持され、外周部には第１のストラップ１５を巻き取るための外周溝２５が形成され、また内側には第１のストラップ１５の巻き取り方向に第１ドラム１３を付勢する駆動バネ２６の収納凹部２７が形成されている。
【００１６】
また、前記第１ドラム１３にはドラムの回転を規制する回転ロック機構２８が設けられている。この回転ロック機構２８は、第１ドラム１３の上面の中央部に設けられた被係合部としての３方向の係合溝２９と、この係合溝２９と係合する押ボタン３０とで構成される。この押ボタン３０は、第１ケース１１の上面に押圧可能に設けられた平面三角形状の筒体で構成され、前記係合溝２９に対応する係合部としての３つの係合片３１が押ボタン３０の下端から外側へ水平方向に突出している他、内部にはコイルバネ３２が収納されている。
【００１７】
上記の回転ロック機構２８は次のように作用する。常態時は図２及び図３に示したように、コイルバネ３２の作用によって押ボタン３０が弾性的に押し上げられ、係合片３１が第１ドラム１３の係合溝２９に係合することで、ドラムの回転が規制される。一方、図４及び図５に示したように押ボタン３０を指で押すと、コイルバネ３２に抗して押ボタン３０が弾性的に押し下げられ、係合片３１と係合溝２９との係合が外れることで、第１ドラム１３の回転のロックが解除される。その結果、第１のストラップ１５を自由に引き出すことができ、また第１のストラップ１５の巻き取りも自在となる。
【００１８】
すなわち、第１のストラップ１５を第１ケース１１から所定の長さ引き出す場合や、第１のストラップ１５を第１ドラム１３に巻き取る場合などには、押ボタン３０を指で押して第１ドラム１３のロックを解除することで、第１のストラップ１５を自由に引き出したり巻き取ったりすることができる。一方、押ボタン３０から指を離してバネ復帰させることで第１ドラム１３の回転が規制され、第１のストラップ１５の動きを拘束することで第１のストラップ１５を所定の長さに保つことができる。
【００１９】
一方、第２ケース１２内に回転自在に配置された第２ドラム１４は、第２ケース１２と一体成形の支軸２４に回転自在に支持され、外周部には第２のストラップ１６を巻き取るための外周溝３５が形成され、また内側には第２のストラップ１６の巻き取り方向に第２ドラム１４を付勢する駆動バネ３６の収納凹部３７が形成されている。
【００２０】
また、上記第２ドラム１４にもドラムの回転を規制する回転ロック機構３８が設けられている。この回転ロック機構３８は、前記第１ドラム１３に設けられた回転ロック機構２８とは異なり、第２ドラム１４の上面に形成された第１円盤部３９およびこの第１円盤部３９より小さい直径を有する第２円盤部４０と、後端部が第２ケース１２の裏面に固定され先端部が長く延びて第１及び第２円盤部３９，４０の外周面並びに第１円盤部３９の上面を弾性的に押圧するバネ部材４１とを備える。このバネ部材４１は線材によって形成されており、後端部には第２ケース１２と一体成形された円柱突起４２に嵌め入れる渦巻部４３が形成され、この渦巻部４３の近傍が一対のストッパ部材４４に挟持されている。
【００２１】
また、前記第１円盤部３９には第２のストラップ１６が引き出される方向にドラムを回転した時に、バネ部材４１の先端部４１ａを第２円盤部４０の外周面から第１円盤部３９の外周面に移動させる第１溝部４５と、第２のストラップ１６を巻き取る際に、バネ部材４１の先端部４１ａと係合して、ドラムの巻き取り方向への回転を規制する第２溝部４６と、さらに第２のストラップ１６が再び引き出される方向にドラムが回転した時に、バネ部材４１の先端部４１ａを前記第２溝部４６から第２円盤部４０の外周面に移動させる斜面４７とが形成されている。
【００２２】
図２及び図３には第２のストラップ１６が第２ドラム１４に巻き取られている状態のバネ部材４１の位置が示されており、バネ部材４１の先端部４１ａは第２円盤部４０の外周面を弾性的に押圧している。この状態から第２のストラップ１６を引き出すと、ドラムは図２において時計回り方向に回転し、バネ部材４１の先端部４１ａは第２円盤部４０の外周面から第１溝部４５に導かれて第１円盤部３９の外周面に移動する。第２のストラップ１６が強く引かれている時は、バネ部材４１の先端部４１ａが第２溝部４６に押し込まれることがないので、図４に示されるようにバネ部材４１の先端部４１ａは第１円盤部３９の外周面を移動し続け、第２のストラップ１６を所望の長さまで引き出すことができる。
【００２３】
引き出す力を弱めると、駆動バネ３６の作用によって第２ドラム１４には第２のストラップ１６を巻き取る方向への回転力（図４において反時計回り方向の回転力）が生じる。ドラムが僅かに回転すると第１円盤部３９の外周面にあったバネ部材４１の先端部４１ａが第２溝部４６に押し込まれて溝部の縦壁と係合し（図４においてバネ部材４１を仮想線で示す）、ドラムの反時計回り方向への回転が阻止され、第２のストラップ１６の引き出された状態が保たれる。
【００２４】
さらに、この状態から第２のストラップ１６を巻き取る場合は、第２のストラップ１６を少し引っ張って第２ドラム１４を時計回り方向に回転させる。するとバネ部材４１の先端部４１ａが第２溝部４６に係合された位置から斜面４７を登って第２円盤部４０の外周面に押し出される。ほぼ同時に第２のストラップ１６を引っ張る力を緩めると第２ドラム１４は駆動バネ３６の作用によって反時計回り方向の回転力が加わる。この駆動バネ３６の作用によって、バネ部材４１の先端部４１ａが第２円盤部４０の外周面を押圧した状態のまま第２ドラム１４の反時計回り方向の回転が確保され、スムーズに第２のストラップ１６を巻き取ることができる。
【００２５】
なお、第２のストラップ１６の巻き取り動作を途中で止めたい場合には、再び第２のストラップ１６を少し引っ張って第２ドラム１４の回転を時計回り方向に戻したのちに力を少し緩める。すると上記と同様、駆動バネ３６の作用によって第２ドラム１４が反時計回り方向に回転し、バネ部材４１の先端部４１ａが再び第２溝部４６に押し込まれて第２ドラム１４の反時計回り方向の回転が阻止されることになる。
【００２６】
図６乃至図８には本発明に係る吊下げ保持具１０の一使用例が示されている。先ず、図６（ａ）に示したように、第１ケース１１の上面に設けられた押ボタン３０を押しながら第１のストラップ１５のストラップ部１５ａ，１５ｂを引き出す。少し長めに引き出してから首に掛け回し、前記メス側部材１９ａと固定ストラップ部１５ｃの先端に取り付けられたオス側部材１９ｂとを係合して第１のストラップ１５をリング状にする。このとき、第１ケース１１が首の略真後ろに位置し、第２ケース１２が胸元に位置するように調整する。
【００２７】
次いで、図６（ｂ）に示したように、押ボタン３０を再び押して第１のストラップ１５を少し巻き取り、第２ケース１２の高さ位置を調整する。なお、上記吊下げ保持具１０を首から吊るす場合に、予めストラップ部１５ａとストラップ部１５ｂとを係合手段１９によって連結しておき、長めに引き出したリング状の第１のストラップ１５を頭から被るようにしても良い。
【００２８】
次いで、第２ケース１２の下端から第２のストラップ１６を強く引っ張って引き出し、先端に取り付けた係合手段２２のメス側部材２２ａを携帯電子機器１７側に取り付けたオス側部材２２ｂに係合させて連結する。これによって、携帯電子機器１７を胸のポケット４８に入れて保持したり、胸の前にぶら下げた状態で保持することができる。
【００２９】
携帯電子機器１７を操作する場合には、図７に示したように、胸のポケット４８から携帯電子機器１７を取り出し、手に持ったまま前方に腕を伸ばす。すると腕を伸ばした動きに伴って第２のストラップ１６が第２ケース１２から引き出され、腕の動きを止めるとその位置で第２のストラップ１６の引き出された状態が保たれる。
【００３０】
図８に示したように、第２のストラップ１６の引き出し長さが十分確保された時点で、携帯電子機器１７を耳に当てて音声通話をしたり、携帯電子機器１７の表面パネルに指で情報入力を操作することができる。
【００３１】
携帯電子機器１７の操作が終了したら、図７に示したように再び腕を前方に伸ばし、その状態からさらに腕を僅かに伸ばすことで、第２ドラム１４を第２のストラップ１６が巻き取られる方向に回転させる。そして、第２のストラップ１６が適当な長さにまで巻き取られたら腕の動きを止め、その位置から僅かに第２のストラップ１６を引き出すことで第２ドラム１４の回転が阻止される。それによって、第２のストラップ１６はその時の長さが保たれるので、携帯電子機器１７を再び胸のポケット４８に入れて保持する。
【００３２】
図９及び図１０には本発明に係る吊下げ保持具の第２実施例が示されている。この実施例に係る吊下げ保持具５０は、先の第１実施例と同様、第1ケース１１と第２ケース１２とを備え、各ケース内に配置された第１ドラム（図示せず）と第２ドラム（図示せず）に第１のストラップ１５と第２のストラップ１６がそれぞれ巻き取られる構造となっている。先の実施例と異なるのは、第１ケース１１と第２ケース１２とが第１のストラップ１５によって直接繋がっている点であり、第１ケース１１の左右両側から引き出される一対のストラップ部１５ａ，１５ｂは、その先端が第２ケース１２の上端の両肩部１２ａ，１２ｂにそれぞれ固定されている。すなわち、この実施例に係る第１のストラップ１５は、先の実施例のような係合手段１９を備えていない。
【００３３】
したがって、この実施例に係る吊下げ保持具５０では、第１ケース１１の押ボタン３０を指で押したまま第１ケース１１と第２ケース１２とを互いに引き離すと第１のストラップ１５が引き出される。第１のストラップ１５が適当な長さに引き出された所で押ボタン３０から指を離し、第１ケース１１を頭から被るだけで装着することができる。
【００３４】
また、この実施例では図１０に示したように、第１のストラップ１５が巻き取られている状態では、第１ケース１１と第２ケース１２とが互いに引き寄せ合って、第２ケースの上端中央の凹み部１２ｃに第１ケース１１の外周の一部が嵌まり込むことで両者が一体となる。特に、第１ケース１１と第２ケース１２との間に両者を水平方向で一体にする連結手段５１、例えば第２ケース１２の上端中央の凹み部１２ｃに突起５１ａを形成し、第１ケース１１の外周に前記突起５１ａが嵌まり込む係合溝５１ｂを形成しておくことで両者を連結することができ、吊下げ保持具５０を使用しない時の取り扱いが簡便となる。
【００３５】
なお、図１１に示したように、第１ケース１１と第２ケース１２とを上下方向で一体に連結させることもできる。この場合には、例えば、第１ケース１１の裏面側に突起５１ａを形成し、第２ケース１２の裏面側に前記突起５１ａが嵌まり込む係合溝５１ｂを形成しておくことで、両者を上下方向で連結することができ、さらにコンパクトに収納できる。
【００３６】
図１２及び図１３には本発明に係る吊下げ保持具の第３実施例が示されている。この実施例に係る吊下げ保持具６０の特徴は、先の実施例における第１ケース１１と第２ケース１２とを上下に重ねたような一体構造からなる第３ケース６１を備えていることであり、この第３ケース６１内に、前記第１実施例と同様の第１ドラム１３及び第２ドラム１４が上下に重ねて配置されている。なお、この第３ケース６１の平面形状は、第１実施例における第２ケース１２と略同一形状である。
【００３７】
第１ドラム１３及び第２ドラム１４は、第３ケース６１の本体６２と一体成形された一対の支軸６５ａ，６５ｂにそれぞれ支持されている。第１ドラム１３及び第２ドラム１４をケース内に配置した後、第３ケース６１の本体６２に上下から上蓋６３と下蓋６４を被せることによって、本実施例の吊下げ保持具６０が構成される。なお、第３ケース６１の上蓋６３には第１ドラム１３の回転ロック機構２８を解除する押ボタン３０が設けられている。
【００３８】
この実施例にあっては、第１ドラム１３に巻き取られている第１のストラップ１５は、上蓋６３の一方の肩部６３ａに設けられた開口部６６から引き出される。なお、上蓋６３の他方の肩部６３ｂには第１実施例と同様、先端に係合手段１９のオス側部材１９ｂが取り付けられた固定ストラップ部１５ｃの基端部が固定されている。また、第１のストラップ１５の先端には係合手段１９のメス側部材１９ａが取り付けられている。
【００３９】
一方、第２ドラム１４に巻き取られる第２のストラップ１６は、第３ケース６１の下部において、本体６２と下蓋６４との合わせ部に設けられた円形の小さな開口部６７から引き出される。この第２のストラップ１６の先端にも第１実施例と同様、係合手段２２のメス側部材２２ａが取り付けられている。なお、第１ドラム１３及び第２ドラム１４の回転ロック機構は、その構成が先の第１実施例とほぼ同一であるので、同様の構成には同一の符号を付すことで詳細な説明を省略する。
【００４０】
この実施例に係る吊下げ保持具６０を使用する際には、先ず上蓋６３の押ボタン３０を指で押して第３ケース６１から第１のストラップ１５を長く引き出し、首に掛け回したのち係合手段１９のメス側部材１９ａとオス側部材１９ｂとを係合する。第３ケース６１が胸元に位置するように第１のストラップ１５の長さを調整した後、第２のストラップ１６を第３ケース６１から引き出し、その先端に取り付けた係合手段２２のメス側部材２２ａと携帯電子機器１７に取り付けた係合手段２２のオス側部材２２ｂとを係合させる。
【００４１】
この実施例に係る吊下げ保持具６０にあっては、第１ドラム１３と第２ドラム１４を一つのケース内に収めることができたので、先の実施例に比べて更なるコンパクト化が図られることになり、胸元がスッキリして見た目にも違和感がなく、身飾的な効果も期待できる。
【００４２】
図１４及び図１５には本発明に係る吊下げ保持具の第４実施例が示される。この実施例に係る吊下げ保持具７０は、先の第３実施例と同様、第３ケース６１内に第１ドラム（図示せず）と第２ドラム（図示せず）が配置され、各ドラムに第１のストラップ１５と第２のストラップ１６がそれぞれ巻き取られる構造となっている。先の実施例と異なるのは、第１ドラムに巻き取られる第１のストラップ１５が第３ケース６１の上蓋６３の両肩部６３ａ，６３ｂに設けられた開口部６６ａ，６６ｂから同時に引き出されることで、リング状に形成される点である。すなわち、この実施例に係る第１のストラップ１５は、先の実施例のような係合手段１９を備えていない。
【００４３】
また、この実施例では第１のストラップ１５が第１ドラムに巻き取られる場合は、図１４に示したように、第１のストラップ１５は上蓋６３の上端の両肩部６３ａ，６３ｂの間に張り渡されるので、第３ケース６１の上端中央の凹み部１２ｃと第１のストラップ１５との間の形成される隙間７１に指を入れ、第１のストラップ１５を引っ張ることで容易に引き出すことができる。第１のストラップ１５を適当な長さに引き出し、頭から被るだけで容易に装着することができる。首に掛けた第１ストラップ１５の長さは上蓋６３の上面に設けられた押ボタン３０を押して回転ロック機構を解除することで調整できる。
【００４４】
図１６及び図１７には本発明に係る吊下げ保持具の第５実施例が示されている。この実施形態に係る吊下げ保持具８０の特徴は、第１実施例における第１ケース１１と第２ケース１２とを横に並べて合体させたような扁平形状をした第４ケース８１を備えていることであり、第４ケース８１の上端中央には第１実施例の第２ケース１２と同様の凹み部８１ｃが形成されている。また、この第４ケース８１内には第１実施例と同じ構成からなる第１ドラム１３及び第２ドラム１４が横に並べて配置されている。
【００４５】
第１ドラム１３及び第２ドラム１４は、図１７に示したように、第４ケース８１と一体成形の一対の支軸８２，８３にそれぞれ支持されており、それぞれのドラムに第１のストラップ１５及び第２のストラップ１６が巻き取られる構成となっている。第１のストラップ１５は、第４ケース８１の一方の肩部８１ａに設けられたスリット状の開口部８４ａから引き出され、その先端には係合手段１９のメス側部材１９ａが取り付けられている。また、第４ケース８１の他方の肩部８１ｂには長さの短い固定ストラップ１５ｃが設けられ、その先端には係合手段１９のオス側部材１９ｂが取り付けられている。また、第２のストラップ１６は、先の実施例と同様、第４ケース８１の下部に設けられた小さな円形の開口部８５から引き出される。また、第１ドラム１３が配置された位置に対応する第４ケース８１の上面には、第１ドラム１３の回転ロック機構を解除する押ボタンが設けられている。なお、第１ドラム１３及び第２ドラム１４の回転ロック機構は、その構成が先の第１実施例とほぼ同一であるので、同様の構成には同一の符号を付すことで詳細な説明を省略する。
【００４６】
この実施例に係る吊下げ保持具８０は、第３実施例のものより平面形状が多少大きいものの、薄型に形成されているので、胸元から突出することなく、胸元にぴったりと密着するのでそれほど目立たない。
【００４７】
図１８には本発明に係る吊下げ保持具の第６実施例が示されている。この吊下げ保持具９０は、第１のストラップ１５が第４ケース８１の上部の両肩部８１ａ，８１ｂに設けられた一対の開口部８４ａ，８４ｂから同時に引き出される他は、第５実施例と同様の構成からなるので、同様の構成には同一の符号を付すことで、詳細な説明を省略する。また、この実施例の吊下げ保持具９０は、第４実施例と同様、第１のストラップ１５が第１ドラムに巻き取られる場合は、第１のストラップ１５が第４ケース８１の両肩部８１ａ，８１ｂの間に張り渡されるので、第４ケース８１の上端中央の凹み部８１ｃと第１のストラップ１５との間の形成される隙間９１に指を入れ、第１のストラップ１５を引っ張ることで容易に引き出すことができる。
【００４８】
図１９乃至図２８には本発明に係る吊下げ保持具の第７実施例が示されている。この吊下げ保持具１００は、第１及び第２のストラップ１５，１６の巻き取り機構やロック機構等を収容するケースを円盤状の一つの第５ケース１０１によって形成したものである。また、この第５ケース１０１の一方には、一対の第１のストラップ１５ａ，１５ｂを引き出すための一対の孔部からなる開口部１０５ａ，１０５ｂが近接して設けられている。この吊下げ保持具１００は、図１２及び図１３に示した第３実施例に係る吊下げ保持具６０と基本構造は同一であるが、前述したように、第５ケース１０１の形状が円盤状であると共に、図２０に示すように、第５ケース１０１にクリップ体１１０を装着可能としたものである。
【００４９】
前記第５ケース１０１は、周面１０８を有する本体１０２と、この本体１０２の上下に組み合わされる上蓋１０３及び下蓋１０４とによって円盤状に形成されている。また、前記本体１０２には、クリップ体１１０を装着させるための溝条部１０７が周面１０８に沿って形成されている。
【００５０】
図１９に示したように、前記上蓋１０３には、第５ケース１０１に内蔵されている回転ロック機構を解除する押ボタン３０が上面に、第１のストラップ１５ａ，１５ｂをループ状に引き出すための一対の開口部１０５ａ，１０５ｂが側面の近接した位置に設けられている。また、下蓋１０４には第２のストラップ１６を一方向に引き出すための開口部１０６が前記一対の開口部１０５ａ，１０５ｂと対向する周面１０８に設けられている。前記第２のストラップ１６は携帯電話やスマートフォンなどの携帯電子機器１７、あるいは、図２５及び図２６に示すように、ＩＤカード類が挿入可能なカードホルダ１１８を連結するためのもので、先端には係合手段１１５のメス側部材１１６が取り付けられている。また、携帯電子機器１７やカードホルダ１１８等の被保持物の方に松葉紐１１９を介してオス側部材１１７を取り付けておくことで、被保持体を脱着可能に連結することができる。なお、第５ケース１０１の内部構造については、第３実施例に係る吊下げ保持具６０と同一であるので詳細な説明を省略する。
【００５１】
この実施例にあっては、一対の開口部１０５ａ，１０５ｂが一ヶ所に近接して設けられているため、それぞれの開口部１０５ａ，１０５ｂから第１のストラップ１５ａ，１５ｂを略同時に且つバランスよく引き出すことができる。また、第１のストラップ１５ａ，１５ｂの収納も容易となり、コンパクトにまとまるといった利点がある。前記引き出された第１のストラップ１５ａ，１５ｂは、それぞれの先端に設けられているメス側部材１９ａにオス側部材１９ｂを嵌合させることによって首に掛けるためのループを形成する。
【００５２】
前記クリップ体１１０は、図２０乃至図２３に示したように、前記溝条部１０７に沿って嵌まり込む一対の腕部１１１と、この一対の腕部１１１の略中央部から直交する方向にＵ状に延び、下蓋１０４の表面に接するように形成される挟持部１１２とを備える。本実施例では、一本の線材（ワイヤ）を折り曲げることによって、一対の腕部１１１及び挟持部１１２が一体となったクリップ体１１０を形成し、このクリップ体１１０の腕部１１１及び挟持部１１２に弾性を持たせたものである。前記一対の腕部１１１は、前記溝条部１０７の径よりも僅かに狭くなるように形成され、一対の腕部１１１を広げるようにして溝条部１０７に嵌め込ませることができる。また、前記挟持部１１２は、先端部が下蓋１０４の表面に弾性的に押圧するように、下向きに突出するように折り曲げ形成される。
【００５３】
前記クリップ体１１０は、一対の腕部１１１の両先端部１１１ａを指で広げながら溝条部１０７にどの方向からも嵌め込むことができるので、着脱が容易であり、装着した際には溝条部１０７に弾性的に嵌合させることができる。また、図２３に示したように、装着したクリップ体１１０は、第５ケース１０１の周面１０８に沿って自由に回転可能となる。これによって、挟持部１１２によるクリップ位置を３６０度の範囲で任意に設定することができる。
【００５４】
本実施例では、図２０及び図２１に示したように、前記溝条部１０７を本体１０２の周面１０８に沿って一周するように形成したが、挟持部１１２の回転範囲に合わせて円弧状に形成してもよい。また、図２２に示したように、前記溝条部１０７が腕部１１１を包み込むようになだらかに湾曲して凹設することによって、クリップ体１１０の回転動作が滑らかになると共に、周面１０８と一体化して第５ケース１０１からの脱落を防止することができる。
【００５５】
前記係合手段１１５のオス側部材１１７は、図２４に示すように、上板１１７ａと下板１１７ｂとからなる一枚の板状部材を折り重ねるようにして形成され、上板１１７ａと下板１１７ｂが樹脂ヒンジからなる折り曲げ部１２１によって開閉自在となる。また、折り曲げ部１２１には、図１９に示したように、松葉紐１１９を通すための紐孔１２０が設けられる。そして、上板１１７ａと下板１１７ｂとを折り重ねた際には、一定の隙間１２２が形成される。図２５及び図２６は、前記オス側部材１１７にカードホルダ１１８を取り付ける例を示したものである。図２５に示したように、前記オス側部材１１７の上板１１７ａ又は下板１１７ｂの先端部１１７ｃ，１１７ｄをカードホルダ１１８の取付孔１２３に通した後、折り曲げ部１２１で折り曲げ、図２６に示したように、前記先端部１１７ｃ，１１７ｄを合わせるようにして上板１１７ａと下板１１７ｂとを閉じる。各先端部１１７ｃ，１１７ｄには、それぞれ一対の弾性係合片１１７ｅを有しており、各先端部１１７ｃ，１１７ｄを重ね合わせた状態でメス側部材１１６に弾性係合され、第２のストラップ１６に連結される。このとき、カードホルダ１１８は、上板１１７ａと下板１１７ｂとの隙間１２２で保持されることとなる。なお、図２５及び図２６では省略したが、紐孔１２０に通された松葉紐１１９は、ボールペンなどの筆記具やアクセサリ類などを吊り下げて利用することができる。
【００５６】
図２７及び図２８は、上記吊下げ保持具１００の使用例を示したものである。この吊下げ保持具１００にあっては、第５ケース１０１にクリップ体１１０を備えているので、首に掛けている第１のストラップ１５から第２のストラップ１６の先に吊り下げているカードホルダ１１８や携帯電子機器１７等の被保持物までが直に垂れ下がることなく、中間位置にある第５ケース１０１を介して簡単に胸ポケット１１３や襟元１１４等に留めることができる。これによって、第２のストラップ１６による保持範囲を限定した状態でカードホルダ１１８を引き出すなどして提示したり、カードホルダ１１８に挿入されているＩＤカードを読取機等にかざしたりすることができる。また、第５ケース１０１に対してクリップ体１１０が回転可能となっているので、胸ポケットの位置や男女で異なる服の襟合わせの方向に応じた装着が可能となる。さらに、第１のストラップ１５が、近接する一対の開口部１０５から引き出されるため、全体のコンパクト化が図られると共に、第５ケース１０１が円盤状の対称形となっているので、胸元がスッキリし、装着による違和感もない。
【００５７】
本実施例では、一対の腕部１１１と挟持部１１２とからなるクリップ体１１０を一本のワイヤの曲げ加工によって形成し、クリップ体１１０に弾性を持たせたものであるが、前記溝条部１０７に嵌まり込む腕部と挟持部とを別体で形成し、それぞれを溶接等によって組み合わせて形成してもよい。また、前記挟持部を様々な形状にし、表面に模様等を施すことによって、デザイン性に富んだ吊下げ保持具を形成することができ、クリップ体の交換や様々な装飾性を備えた挟持部による着せ替え等も容易となる。
【００５８】
なお、上記のいずれの実施例においても第２のストラップ１６を巻き取る第２ドラム１４に回転ロック機構３８が設けられている場合を説明したが、例えば上記第７実施例で示したように、携帯電子機器の代わりに身分証（ＩＤカード）のような被保持物を本発明の吊下げ保持具を利用して首から吊り下げる場合には、上記の回転ロック機構３８は設けなくてもよい。すなわち、身分証（ＩＤカード）の場合には第２ドラム１４からの第２のストラップ１６の引き出しと第２ドラム１４への巻き取りができれば足りるからである。身分証（ＩＤカード）を外して収納する時に第１のストラップ１５を第１ドラム１３に巻き取ることができるので、コンパクトな収納が可能となる。
【符号の説明】
【００５９】
１０  吊下げ保持具
１１  第１ケース
１２  第２ケース
１２ａ，１２ｂ  肩部
１２ｃ  凹み部
１３  第１ドラム
１４  第２ドラム
１５  第１のストラップ
１５ａ，１５ｂ  ストラップ部
１５ｃ  固定ストラップ部
１６  第２のストラップ
１７  携帯電子機器（被保持物）
１８ａ，１８ｂ  開口部
１９  係合手段
１９ａ  メス側部材
１９ｂ  オス側部材
１９ｃ  弾性係合片
２０  ストッパ
２１  開口部
２２  係合手段
２２ａ  メス側部材
２２ｂ  オス側部材
２３，２４  支軸
２５  外周溝
２６  駆動バネ
２７  収納凹部
２８  回転ロック機構
２９  係合溝
３０  押ボタン
３１  係合片
３２  コイルバネ
３５  外周溝
３６  駆動バネ
３７  収納凹部
３８  回転ロック機構
３９  第１円盤部
４０  第２円盤部
４１  バネ部材
４２  円柱突起
４３  渦巻部
４４  ストッパ部材
４１  先端部
４５  第１溝部
４６  第２溝部
４７  斜面
４８  ポケット
５０  吊下げ保持具
５１  連結手段
６０  吊下げ保持具
６１  第３ケース
６２  本体
６３  上蓋
６４  下蓋
６５ａ，６５ｂ  支軸
６６，６７  開口部
７０  吊下げ保持具
７１  隙間
８０  吊下げ保持具
８１  第４ケース
８１ａ，８１ｂ  肩部
８１ｃ  凹み部
８２，８３  支軸
８４ａ，８４ｂ  開口部
８５  開口部
９０  吊下げ保持具
９１  隙間
１００  吊下げ保持具
１０１  第５ケース
１０２  本体
１０３  上蓋
１０４  下蓋
１０５ａ，１０５ｂ  開口部
１０６  開口部
１０７  溝条部
１０８  周面
１１０  クリップ体
１１１  腕部
１１１ａ  先端部
１１２  挟持部
１１３  胸ポケット
１１４  襟元
１１５  係合手段
１１６  メス側部材
１１７  オス側部材
１１７ａ  上板
１１７ｂ  下板
１１７ｃ，１１７ｄ  先端部
１１７ｅ  弾性係合片
１１８  カードホルダ（被保持物）
１１９  松葉紐
１２０  紐孔
１２１  折り曲げ部
１２２  隙間
１２３  取付孔
【図１】
2013059619.tif 000003
【図２】
2013059619.tif 000004
【図３】
2013059619.tif 000005
【図４】
2013059619.tif 000006
【図５】
2013059619.tif 000007
【図６】
2013059619.tif 000008
【図７】
2013059619.tif 000009
【図８】
2013059619.tif 000010
【図９】
2013059619.tif 000011
【図１０】
2013059619.tif 000012
【図１１】
2013059619.tif 000013
【図１２】
2013059619.tif 000014
【図１３】
2013059619.tif 000015
【図１４】
2013059619.tif 000016
【図１５】
2013059619.tif 000017
【図１６】
2013059619.tif 000018
【図１７】
2013059619.tif 000019
【図１８】
2013059619.tif 000020
【図１９】
2013059619.tif 000021
【図２０】
2013059619.tif 000022
【図２１】
2013059619.tif 000023
【図２２】
2013059619.tif 000024
【図２３】
2013059619.tif 000025
【図２４】
2013059619.tif 000026
【図２５】
2013059619.tif 000027
【図２６】
2013059619.tif 000028
【図２７】
2013059619.tif 000029
【図２８】
2013059619.tif 000030
【図２９】
2013059619.tif 000031